(57)【要約】【課題】清掃時、作業効率の向上を図ると共に、拭布の局部的に汚れた箇所（特に先端部）を周方向に自由かつ簡単に「ずらす（移動させる）」ことができること。【解決手段】ハンドルが設けられた枠状基体と、該枠状基体に回転可能に軸支された回転体と、先端部が枠状基体の前端部から突出するように枠状基端部に固定的に設けられた上下一対の保持板と、これらの保持板の外面及び回転体の外周面に渡って無端状に巻付けられた帯状拭布とから成り、上下一対の保持板の先端部は相互に連続する又は非連続のいずれかであると共に、これらの保持板は後端部から前記先端部に向かって傾斜し、また帯状拭布は、回転体を回すか又は回転体をスライド体及び案内手段を介してかつ復帰バネのバネ力に抗して保持板側に位置変位可能させるかのいずれかにより、被掃除面に接触するその汚れの酷い箇所を連続的に周方向に移動させる携帯型清掃具。【選択図】図１
2016146925.tif 000002
【特許請求の範囲】
【請求項１】
ハンドルが設けられた枠状基体と、該枠状基体に回転可能に軸支された回転体と、先端部が前記枠状基体の前端部から突出するように前記枠状基端部に固定的に設けられた上下一対の保持板と、これらの保持板の外面及び前記回転体の外周面に渡って無端状に巻付けられた帯状拭布とから成り、
前記上下一対の保持板の先端部は相互に連続する又は非連続のいずれかであると共に、これらの保持板は後端部から前記先端部に向かって傾斜し、また前記帯状拭布は、前記回転体を回すか、又は前記回転体をスライド体及び案内手段を介してかつ復帰バネのバネ力に抗して前記保持板側に位置変位可能させるかのいずれかにより、被掃除面に接触するその汚れの酷い箇所を連続的に周方向に移動させる携帯型清掃具。
【請求項２】
請求項１に於いて、上下一対の保持板は長尺状のものであり、各保持板の先端部の内面側に幅広薄板状芯材が設けられ、該幅広薄板状芯材の先端部は、前記保持板の先端部から多少突出していることを特徴とする携帯型清掃具。
【請求項３】
請求項１に於いて、帯体拭布は、その一方の面と他方の面に互い係着する面ファスナーが設けられ、必要に応じて上下一対の保持板及び回転体から取り外すことができることを特徴とする携帯型清掃具。
【請求項４】
ハンドルが設けられた枠状基体と、該枠状基体に回転可能に軸支された回転体と、幅広薄板状芯材の先端部が前記枠状基体の前端部から突出するように該枠状基体に固定的に設けられた芯材部材と、この芯材部材の先端縁から回転体の外周面に渡って無端状に巻付けられた帯状拭布とから成り、前記帯状拭布は、前記回転体を回すか、又は前記回転体をスライド体及び案内手段を介してかつ復帰バネのバネ力に抗して前記枠状基体の前端部側に位置変位可能させるかのいずれかにより、被掃除面に接触するその汚れの酷い箇所を連続的に周方向に移動させる携帯型清掃具。
【請求項５】
請求項１又は請求項４に於いて、回転体は、係止手段又は摩擦手段、付勢手段のいずれかによって、自由回転が阻止されていることを特徴とする携帯型清掃具。
【発明の詳細な説明】
【技術分野】
【０００１】
本発明は、ハンドルを握って、窓ガラス、車体のボディ、テーブル、机、家具、床面や壁の隅部等の硬質表面を擦り、局部的に汚れた箇所を清掃することができる携帯型清掃具に関する。
【背景技術】
【０００２】
特許文献１には、柄（ハンドル）１の基端部（前端）に、上下一対の板状部３ａ、３ｂがその先端部から後端部に向かって徐々に外拡する一枚の保持体３が一体的に取付けられ、該保持体３の前記先端部を含む前記上下一対の板状部３ａ、３ｂの全体をカバーするように該保持体３に面ファスナー或いは弾性手段を介して着脱自在に拭布５を装着する柄付き掃除具が開示されている。
【０００３】
すなわち、特許文献１の発明の課題は、柄の先端に取り付けられた掃除手段としての拭布の両面を使用することができるようにすることであり、その解決手段は、「柄（１）の一端に掃除手段保持体（３）を固定し、該掃除手段保持体は掃除手段（５）を保持する一対の保持面（７）（９）を備え、当該一対の保持面は前端縁（１１）にて相互に連続すると共に後方に向かって徐々に間隔が開き且つ柄に対して等角度をなすようにそれぞれ傾斜し、掃除手段保持体における当該一対の保持面には連続する一つの掃除手段を着脱自在に取り付ける道具である（符号は特許文献１のもの）。
【０００４】
また特許文献２の清掃具の柄３の先端に取付けられたヘッド部５は、その上下一対の板状部がやや曲面状に形成され、かつ先端中央部に水平方向にスリットを有し、該スリットに板状の芯材１１を設け、前記ヘッド部５の先端部から後端部にかけて清掃布５を巻き付けるものである（符号は特許文献２のもの）。
【０００５】
上記特許文献１や特許文献２は、例えば柄を片手で握って窓ガラス、車体のボディ、テーブル、机、家具、床面や壁の隅部等の硬質表面を擦り、局部的に汚れた箇所を清掃することができる点、清掃具を反転すると、他方の傾斜状或いは曲面状の板状部が被掃除面に接触することから、掃除手段としての拭布の両面を使用することができる点、清掃具をやや立てるようにして先端部を被掃除面に強く押圧して「ゴシゴシ」擦るように掃除することができる点等の色々な利点があるものの、前記拭布の両面が汚れると、その都度、汚れを落とすために拭布を保持体３或いはヘッド部５から取り外さなければならないので、作業効率が悪いという難点がある。また、拭布の局部的に汚れた箇所（特に先端部）を周方向に自由に「ずらす（移動させる）」ことができないという問題点があった。
【先行技術文献】
【特許文献】
【０００６】
【特許文献１】特開２０００２−３４８８４号公報
【特許文献２】特開平１０−１９２２１４号公報
【発明の概要】
【発明が解決しようとする課題】
【０００７】
本願発明の主たる目的は、特許文献１や特許文献２の利点を生かしながら、清掃時、作業効率の向上を図ると共に、拭布の局部的に汚れた箇所（特に先端部）を周方向に自由かつ簡単に「ずらす（移動させる）」ことができる携帯型清掃を提供することである。
【課題を解決するための手段】
【０００８】
本発明の携帯型清掃具は、ハンドルが設けられた枠状基体と、該枠状基体に回転可能に軸支された回転体と、先端部が前記枠状基体の前端部から突出するように前記枠状基端部に固定的に設けられた上下一対の保持板と、これらの保持板の外面及び前記回転体の外周面に渡って無端状に巻付けられた帯状拭布とから成り、前記上下一対の保持板の先端部は相互に連続する又は非連続のいずれかであると共に、これらの保持板は後端部から前記先端部に向かって傾斜し、また前記帯状拭布は、前記回転体を回すか、又は前記回転体をスライド体及び案内手段を介してかつ復帰バネのバネ力に抗して前記保持板側に位置変位可能させるかのいずれかにより、被掃除面に接触するその汚れの酷い箇所を連続的に周方向に移動させることを特徴とする。
【０００９】
また本発明の携帯型清掃具は、ハンドルが設けられた枠状基体と、該枠状基体に回転可能に軸支された回転体と、その幅広薄板状芯材の先端部が前記枠状基体の前端部から突出するように該枠状基体に固定的に設けられた芯材部材と、この芯材部材の先端縁から回転体の外周面に渡って無端状に巻付けられた帯状拭布とから成り、前記帯状拭布は、前記回転体を回すか、又は前記回転体をスライド体及び案内手段を介してかつ復帰バネのバネ力に抗して前記枠状基体の前端部側に位置変位可能させるかのいずれかにより、被掃除面に接触するその汚れの酷い箇所を連続的に周方向に移動させることを特徴とする。
【発明の効果】
【００１０】
（ａ）独立請求項に記載の発明は、特許文献１や特許文献２の利点を生かしながら、清掃時、作業効率の向上を図ると共に、拭布の局部的に汚れた箇所（特に先端部）を周方向に自由かつ簡単に「ずらす（移動させる）」ことができる。  
（ｂ）請求項２に記載の発明は、上下一対の保持板は長尺状のものであり、各保持板の先端部の内面側に幅広薄板状芯材が設けられ、該幅広薄板状芯材の先端部は、前記保持板の先端部から多少突出しているので、無端状に巻付けられた帯状拭布は内側に凹むことがなく、全体的に支持することができると共に、図８で示す使用態様の２の如く、携帯型清掃具を立てるようにして掃除すると、硬質表面Ｆの汚れの酷い箇所を効率良く掃除することができる。
（ｃ）請求項３に記載の発明は、帯体拭布を上下一対の保持板及び回転体から簡単に取り外すことができる。また帯体拭布の巻き付け装着も容易である。
（ｄ）請求項４に記載の発明は、回転体が不用意に回転しないので、拭布の局部的に汚れた箇所（特に先端部）を徐々に「ずらす（移動させる）」ことができる。
【図面の簡単な説明】
【００１１】
図１乃至図９は本発明の第１実施形態を示す各説明図、図１０及び図    １１は本発明の第２実施形態を示す各説明図、図１２及び図１３は本発明の第３実施形態を示す各説明図、図１４至図１８は本発明の第４実施形態を示す各説明図。
【図１】第１実施形態の斜視からの説明図。
【図２】図１の２−２線断面図。
【図３】正面視からの説明図（拭布を省略）。
【図４】平面視からの説明図（拭布を省略）。
【図５】要部（付勢手段の一例）の概略断面説明図。
【図６】主要部の分解斜視図。
【図７】使用態様の１を示す説明図。
【図８】使用態様の２を示す説明図。
【図９】拭布の汚れの酷い箇所を周方向に移動させる説明図。
【図１０】第２実施形態の斜視からの説明図。
【図１１】要部（保持板）の説明図。
【図１２】第３実施形態の斜視からの説明図。
【図１３】要部（保持板）の説明図。
【図１４】第４実施形態の斜視からの説明図。
【図１５】主要部の分解斜視図。
【図１６】要部（幅広薄板状芯材を有する芯材部材）の概略断面説明図。
【図１７】要部（スライド部材の位置変位）の説明図。
【図１８】スライド部材の位置変位させた状態で拭布の汚れの酷い箇所を周方向に移動させる説明図。
【発明を実施するための最良の形態】
【００１２】
図１乃至図９は、本発明の第１実施形態の携帯型清掃具Ｘで、この携帯型清掃具Ｘは、例えばハンドル（柄）４を持ちながら、窓ガラス、車体のボディ、テーブル、机、家具、床面や壁の隅部等の硬質表面Ｆを撫ぜるようにして、或いは擦るようにして用いられる。特に、硬質表面Ｆの局部的に汚れた箇所を清掃する場合には、ハンドル（柄）４をやや立てるようにして幅広薄板状芯材７の先端部を拭布Ｙを介して前記硬質表面Ｆに当てながら、いわゆる「ゴシゴシ」擦るようにして用いられる（図８参照）。
【００１３】
まず、図１は枠状基体１の上面側と下面側に設けられた上下一対の保持板の各外面及び該枠状基体１に軸支された回転体の外周面に渡って帯状拭布Ｙを無端状に巻付けた斜視からの説明図なので、前記枠状基体１等の構成を、例えば図６を参照にして説明する。
【００１４】
枠状基体１は、略矩形状の開口３を有するリング（例えば矩形外周）状の支持部２と、該支持部２の基端部２ａに設けられたハンドル（柄）４と、該支持部２の前端部２ｃに突設された先細り状の保持部５とを有し、これらの各部位は、例えば合成樹脂材で一体成形されている。もちろん、ハンドル４と支持部２をそれぞれ別体に成形し、前記ハンドル４を支持部２に脱着可能に設けても良い。また前記先細り状の保持部５とリング状の支持部２は予め一体に成形されていても良いし、両者はそれぞれ別体に成形され、先細り状の保持部５をリング状の支持部２の前端部に取外し可能に装着しても良い。さらに、支持部２は矩形外周であるが、円形外周、台形外周等の任意の形状であっても良い。
【００１５】
しかして、前記支持部２は、後端部に相当する基端部２ａと、該基端部の両端部にそれぞれ略直交方向に連設する一本又は左右一対の支持腕部２ｂ、２ｂと、前記基端部２ａに平行するように前記支持腕部の先端部に連設する前端部２ｃと、該前端部の略中央部に連設する先細り状の保持部５とから成る。したがって、該実施形態では基端部２ａと左右一対の支持腕部２ｂ、２ｂと前端部２ｃで囲まれた内部は略矩形状の開口（透孔）３である。
【００１６】
図１、図２及び図３で示すように、左右一対の支持腕部２ｂ、２ｂの上面及び下面は、基端部２ａから前端部２ｃに至るにしたがって徐々に接近する傾斜面となっている。また縦断面の形状が横倒れ四辺形の先細り状の保持部５の上面及び下面も、前記支持腕部と同様に前端部２ｃ側から先端に至るにしたがって徐々に接近する傾斜面となっている。実施形態では、好ましくは、前端部２ｃと先細り状の保持部５の連設部位は若干高低差がある段差状となっている。先細り状の保持部５の先端部には、前向き凹所状の嵌合溝６が形成されており、該嵌合溝６には幅広薄板状芯材７の後端部が差込まれ、該幅広薄板状芯材７の先端部７ａは、図１で示すように先細り状の保持部５の先端部から水平状態に所定量突出している。
【００１７】
また、左右一対の支持腕部２ｂ、２ｂの内外の略垂直の側面の基端部２ａ寄りの部位には、該支持腕部の左右の位置において左右一対の軸孔８が形成されている。さらに、前記軸孔８付近には、該軸孔８と同様に支持腕部の左右の位置において単数（実施形態）又は複数の付勢手段２１用の装着孔９が形成されている（図５参照）。
【００１８】
なお、実施形態の幅広薄板状芯材７の先端部７ａの先端面はやや弧状に形成しているが、直線状であっても良いし、発明の目的を逸脱しない範囲で、先端部７ａの先端面を、例えば細かな波乃至歯形状にしても良い。また幅広薄板状芯材７の材質は硬質の合成樹脂材であるが、その材質は特に問わない。
【００１９】
次に、１１は左右一対の軸孔８を支持孔とする水平軸１２を介して左右一対の支持腕部２ｂ、２ｂに回転可能に軸支された胴体状の回転体で、該回転体１１は、その左右の端面１１ａ、１１ａと直交する外周面１１ｂが、好ましくは前記左右一対の支持腕部２ｂ、２ｂの上面及び下面から若干食み出している。ところで、胴体状の回転体１１は水平横軸１２と一体であっても、又は別体であっても良い。要は左右一対の支持腕部２ｂ、２ｂに回転自在に設けられていれば良い。
【００２０】
次に１５は、その先端部が先細り状の保持部５から突出するように枠状基体１の先細り状の保持部５の傾斜状上面及び下面に固定的に設けられた上下一対の長尺状保持板で、実施形態では、上下一対の長尺状保持板１５、１５の各先端部は非連続であり、幅広薄板状芯材７の先端面寄りの部位を挟む状態となっている。一方、上下一対の長尺状保持板１５、１５の各後端部は、図２で示すように左右一対の支持腕部２ｂ、２ｂの各上面及び下面から横倒れ「ハ」の字状に浮いている。
【００２１】
実施形態の各長尺状保持板１５、１５は、好ましくは剛性的機能のみならず、弾性変位復帰機能を有する弾性板である。ところで、各長尺状保持板１５、１５を枠状基体１に固定する手段は、固着、接着、係着等の如何を問わない。また各長尺状保持板１５、１５は、その傾斜状上面及び下面を有することを前提として、外方向にやや弧状に膨らむ形状であっても良い。さらに、各長尺状保持板１５、１５の先端部は、横倒れ略Ｖ字形状に連続する一枚の帯状板であっても良い。
【００２２】
前述した帯体拭布Ｙは、その一方の面と他方の面に互い係着する不番の面ファスナーが設けられ、必要に応じて上下一対の長尺状保持板１５，１５及び回転体１１から取り外すことができる。また帯体拭布Ｙの材質自体は特に問わないが、例えば布製であり、好ましくは長さ方向にその一部又は全部が伸縮する帯状のものである。
【００２３】
最後に、図５を参照にして、回転体１１の自由回転を阻止する図示しないオス・メスの係止手段、又は図示しないゴム板、弾性板、セレーション等の摩擦手段、バネを含む付勢手段（実施形態）のいずれかについて説明する。
【００２４】
前述したように、符号９は、軸孔８付近に設けられた単数の付勢手段用の装着孔で、該装着孔９は、支持腕部２ｂの外側面が開口する大径収納部９ａと、該大径収納部９ａに連結する小径の貫通孔９ｂとから成る。そして、回転体１１の自由回転阻止用の付勢手段２１は、前記大径収納部９ａの奥部に位置する鍔部２２ａと、該鍔部に連設すると共に前記貫通孔９ｂから突出する小突起部２２ｂとを有する押圧片２２と、該押圧片を回転体１１の一端面１１ａに押付ける方向に付勢する押しバネ２３と、前記大径収納部９ａに形成されたメネジと螺合するバネ端支持具２４とから成る。なお、実施形態の付勢手段２１は、枠状基体１の支持腕部２ｂに設けられているが、回転体１側に配設しても良い。
上記構成に於いて、図７は携帯型清掃具Ｘの使用態様の１を示す説明図、図８は携帯型清掃具Ｘの使用態様の２を示す説明図、図９は酷い汚れの箇所を変える場合の説明図である。
【００２５】
携帯型清掃具Ｘは、特許文献１の如く、帯体拭布Ｙの一方の面（例えば下面）が汚れたときは、枠状基体１の上下を反転させて他方の面を使用することができる。すなわち、上下の長尺状保持板１５，１５は、幅広薄板状芯材７の先端面を基準にすると、等角度をなすように傾斜しているので、各長尺状保持板１５，１５を、図７で示すように硬質表面Ｆを撫ぜるように使用することができる。また硬質表面Ｆが酷く汚れている場合には、携帯型清掃具Ｘの傾斜角度を大きくし、「ゴシゴシ」擦るようにして用いることもできる（図８参照）。さらに、後者の態様で掃除したとき、幅広薄板状芯材７の先端面で押圧された帯体拭布Ｙの先端部の汚れは酷いものとなるが、所望のとき、必ずしも帯状拭布Ｙを携帯型清掃具Ｘから取り外さなくても、回転体１１を付勢手段２１のバネ力に抗して任意の方向に回し、前記酷い汚れの箇所ａを周方向に連続的に多少変えることができる（図９参照）。
【００２６】
したがって、第１実施形態の携帯型清掃具Ｘは、ハンドル４が設けられた基端部２ａ及び該基端部に一体的に設けられた或いは一体成形された支持腕部２ｂを有する枠状基体１と、該枠状基体１の前記基端部２ａ側に前記支持腕部２ｂに直交するように該支持腕部２ｂに水平軸１２を介して回転可能に軸支された胴体状の回転体１１と、少なくともその先端部が前記支持腕部２ｂの先端から突出するように前記枠状基体１に固定的に設けられた上下一対の保持板１５、１５と、これらの保持板の外面及び前記回転体の外周面に渡って無端状に巻付けられた帯状拭布Ｙとから成る。
【００２７】
そして、前記上下一対の保持板１５、１５の先端部は非連続であると共に、これらの保持板１５、１５は前記先端部から前記回転体１１に向かって上下の間隔が徐々に外拡し、また前記帯状拭布Ｙは、前記回転体１１を手動で回すことにより、被掃除面Ｆに接触するその汚れの酷い箇所ａを連続的に周方向に移動させるものである。
【００２８】
さらに、第１実施形態では、前記上下一対の保持板１５、１５は幅広かつ長尺状の薄板であり、各長尺状保持板の先端部の内面側に一枚の幅広薄板状芯材７が設けられ、該幅広薄板状芯材７の先端部は、前記長尺状保持板１５、１５の先端部から多少突出している。
また前記帯体拭布Ｙは、その一方の面と他方の面に互い係着する面ファスナーが設けられ、必要に応じて上下一対の長尺状保持板１５、１５及び回転体１１から取り外すことができる。さらに、好ましくは、回転体１１は、図示しない係止手段２１又は図示しない摩擦手段、図５で示す付勢手段のいずれかによって、自由回転が阻止されている。
【００２９】
なお、第１実施形態では、回転体１１は枠状基体１の所定位置に軸支されているが、該枠状基体１にスライド部材を介して間接的に設け、かつ、該枠状基体１の後端部部と前記スライド部材の後端部に設けた単数又は複数の復帰バネのバネ力に抗して前記枠状基体１の前端部側に位置変位させても良い（後述する第４実施形態と同様の構成を採用）。
【００３０】
それ故に、実施形態から本発明の技術的思想を把握すると、本発明は、ハンドル４が設けられた枠状基体１と、該枠状基体に回転可能に軸支された回転体１１と、先端部が前記枠状基体１の前端部から突出するように前記枠状基端部１に固定的に設けられた上下一対の保持板１５、１５と、これらの保持板１５の外面及び前記回転体１１の外周面に渡って無端状に巻付けられた帯状拭布Ｙとから成り、前記上下一対の保持板１５、１５の先端部は相互に連続する又は非連続のいずれかであると共に、これらの保持板は後端部から前記先端部に向かって傾斜し、或いは前記先端部から後端部に向かって外拡し、また前記帯状拭布Ｙは、前記回転体１１を回すか、又は前記回転体１１を、スライド体及び案内手段を介してかつ復帰バネのバネ力に抗して前記保持板側に位置変位可能させるかのいずれかにより、被掃除面に接触するその汚れの酷い箇所ａを連続的に周方向に移動させる携帯型清掃具である。
【実施例】
【００３１】
実施形態では、ハンドル４の形状、長さ等は任意に設計変更することができる。また支持腕部２ｂは左右いずれかの一本であっても良い（いわゆる片持ち式）。さらに、上下の保持板の上面及び下面は、実施形態では傾斜面であるが、基端部から前端部に至るまで細かく段差傾斜する形態であっても良いし、前記上面及び下面に滑り止め用の筋溝を模様状に多数形成しても良い。
【００３２】
次に、図１０至図１８を参照にして、本発明の他の実施形態を説明する。なお、他の実施形態の説明に当って、第１実施形態、第２実施形態等と同一の部分には同一又は同様の符号を付して重複する説明を割愛する。
【００３３】
まず、図１０及び図１１は本発明の第２実施形態を示す各説明図である。この第２実施形態が第１実施形態と主に異なる事項は、（ａ）上下一対の保持板１５、１５の先端部の左右部位が連続する「一枚のもの」である点、（ｂ）前記保持板１５、１５の先端部に水平長孔１６が形成され、該水平長孔１６から舌片状の幅広薄板状芯材７の先端部７ａが若干出ている点である。
【００３４】
次に、図１２及び図１３は本発明の第３実施形態を示す各説明図である。この第３実施形態が前記第２実施形態と主に異なる事項は、（ａ）保持板１５、１５の先端部に水平長孔１６が形成されておらず、各先端縁の全てが相互に連続している点、（ｂ）舌片状の幅広薄板状芯材７が存在しない点である。
【００３５】
最後に図１４至図１８は本発明の第４実施形態を示す各説明図である。この第４実施形態が前記第１実施形態と主に異なる事項は、次に列挙するとおりである。
【００３６】
（ａ）第１実施形態の枠状基体１の支持部２の一部を設計変更し、例えば支持枠本体２Ａが、その上面及び下面が後端部から前端部に至るまで徐々に傾斜する左右一対の支持腕部２ｂ、２ｂと前端部２ｃを有する斜視略コ字形状に形成され、この支持枠本体２Ａの前記左右一対の支持腕部２ｂ、２ｂの後端部の対向する内側面に、前記枠状基体１Ａを構成する水平杆状の基端部２ａが嵌め込まれ、かつ、固定手段（例えば複数本の固着具）３１とメネジ部３７を介して固定される点、
（ｂ）左右一対の支持腕部２ｂ、２ｂの対向する内側面の略中央部に、その各後端から各先端部に向かって水平切欠状の案内手段としての一対のガイドレール３２、３２が設けられている点、
（ｃ）左右一対の支持腕部２ｂ、２ｂの後端部の上下の部位に前記固定手段３１用の貫通孔３３が設けられている点、（ｄ）支持枠本体２Ａの前端部２ｃの略中央部に短柱状の支持突起３４が前方を向いて設けられている点、
（ｅ）支持枠本体２Ａの後端部に固定される基端部２ａの左右の両端面の略中央部の適宜箇所（例えば後方側の部位）に左右一対のバネ部材３５、３５の後端部を取付けるバネ端支持部３６、３６が設けられていると共に、前記基端部２ａの左右の両端面の上下の部位に前記固定手段３１用のメネジ部３７、３７が設けられている点、
（ｆ）回転体１１を軸支する矩形リング状（実施形態）或いはコ字形状のスライド体４１を、左右一対の支持腕部２ｂ、２ｂの後端からガイドレール３２、３２に嵌め込み、これらのガイドレールに前後方向にスライド自在に設けている点、
（ｇ）前記スライド体４１の後端部のやや内側に段差状に形成された左右の外側面にバネ端支持部４２、４２が設けられ、左右一対のバネ端支持部４２、４２に左右一対のバネ部材３５、３５の先端部が取付けられている点、
（ｈ）矩形リング状のスライド体４１の支持腕部２ｂ、２ｂと対向する左右の不番側壁の略中央部に一対の軸孔８を形成すると共に、該軸孔付近に形成された装着孔９に付勢手段２１が組み込まれている点、（ｉ）さらに、支持枠本体２Ａの支持突起３４にはアタッチメントの一例としての芯材部材Ａが取外し可能に設けられている点、
（ｊ）そして、前記芯材部材Ａは、第１実施形態の上下の保持板１５、１５と同様に拭布の内面を支持する保持板機能を有する保持台１５Ａと、該保持台１５Ａの先端部に形成された嵌合溝６Ａに一体的に嵌め込まれる幅広薄板状芯材７Ａとから成り、前記保持台１５Ａの後端部の略中央部には支持突起３４に嵌合する嵌合穴４４が形成されている。この実施形態では、前記保持台１５Ａの上面及び下面は、支持枠本体２Ａの前端部２ｃの対応する上面及び下面に連続的に傾斜している。
（ｋ）上記実施形態では、回転体１１をスライド体４１及び案内手段３２を介してかつ復帰バネ３５のバネ力に抗して枠状基体１Ａの前端部２ｃ側に位置変位させる。なお、この実施形態においても、第１実施形態と同様、スライド体４１、案内手段３２及び復帰バネ３５を用いないで、前記回転体１１を直に前記枠状基体１Ａに軸支し、所定位置で回転体１１を回転しても良い。
【００３７】
したがって、第４実施形態は、ハンドル４が設けられた基端部２ａ及び該基端部に一体的に設けられた或いは一体成形された支持腕部２ｂを有する枠状基体１Ａと、該枠状基体の前記基端部側に前記支持腕部に直交するように該支持腕部に水平軸１２を介して回転可能に軸支された胴体状の回転体１１と、その幅広薄板状芯材７Ａの先端部７ａが前記枠状基体１Ａの前端部から突出するように該枠状基体１Ａに固定的に設けられた芯材部材Ａと、この芯材部材Ａの先端縁から回転体１１の外周面に渡って無端状に巻付けられた帯状拭布Ｙとから成り、前記帯状拭布Ｙは、前記回転体１１を回すか、又は前記回転体１１をスライド体４１及び案内手段３２を介して、かつ復帰バネ３５のバネ力に抗して前記枠状基体１Ａの前端部に位置変位可能させるかのいずれかにより、被掃除面に接触するその汚れの酷い箇所ａを連続的に周方向に移動させる携帯型清掃具Ｘ１である。
【００３８】
それ故に、上記実施形態から本発明の技術的思想を把握すると、本発明は、ハンドル４が設けられた枠状基体１Ａと、該枠状基体に回転可能に軸支された回転体１１と、その幅広薄板状芯材７Ａの先端部７ａが前記枠状基体１Ａの前端部から突出するように該枠状基体１Ａに固定的に設けられた芯材部材Ａと、この芯材部材Ａの先端縁から回転体１１の外周面に渡って無端状に巻付けられた帯状拭布Ｙとから成り、前記帯状拭布Ｙは、前記回転体１１を回すか、又は前記回転体１１をスライド体４１及び案内手段３２を介して、かつ復帰バネ３５のバネ力に抗して前記枠状基体１Ａの前端部２ｃ側に位置変位可能させるかのいずれかにより、被掃除面に接触するその汚れの酷い箇所を連続的に周方向に移動させる携帯型清掃具Ｘ１である。
【産業上の利用可能性】
【００３９】
本発明は、窓ガラス、車体のボディ、テーブル、机、家具、床面や壁の隅部等の硬質表面を擦り、局部的に汚れた箇所を清掃することができる携帯型清掃具として利用することができる。
【符号の説明】
【００４０】
Ｘ、Ｘ１…携帯型清掃具、
Ｙ…帯状拭布、Ａ…芯材部材、
ａ…汚れの酷い箇所、
Ｆ…硬質表面、
１、１Ａ…枠状基体、
２…支持部、
２Ａ…支持枠本体、
２ａ…基端部、
２ｂ…支持腕部、
３…開口（透孔）、
４…ハンドル、
５…保持部、６…嵌合溝、
７、７Ａ…幅広薄板状芯材、
１１…回転体、１２…水平軸、
１５…上下の保持板、
１６…水平長孔、
２１…係止手段、
２２…押圧片、
２３…押しバネ、
２４、３６、４２…バネ端支持具、
３１…固定手段、
３２…案内手段、
３４…支持突起、
３５…復帰バネ（バネ部材）、
４１…スライド体、
４４…嵌合穴。
【図１】
2016146925.tif 000003
【図２】
2016146925.tif 000004
【図３】
2016146925.tif 000005
【図４】
2016146925.tif 000006
【図５】
2016146925.tif 000007
【図６】
2016146925.tif 000008
【図７】
2016146925.tif 000009
【図８】
2016146925.tif 000010
【図９】
2016146925.tif 000011
【図１０】
2016146925.tif 000012
【図１１】
2016146925.tif 000013
【図１２】
2016146925.tif 000014
【図１３】
2016146925.tif 000015
【図１４】
2016146925.tif 000016
【図１５】
2016146925.tif 000017
【図１６】
2016146925.tif 000018
【図１７】
2016146925.tif 000019
【図１８】
2016146925.tif 000020